(57)【特許請求の範囲】
【請求項１】
情報を書込可能なカードに書き込まれている情報を、アンテナを介して、読み取る読取装置であって、
外部からの圧力を感知する、かつ、該カードの外形よりも大きなセンサと、
前記センサの位置を表示する表示部と、
前記センサが外部からの圧力を感知した場合に、前記アンテナを介して、前記カードに書き込まれている情報を読み取る読取部とを有し、
前記表示部は、前記センサ上に前記カードが載置される前は、前記読取部が、前記センサ上に載置された前記カードに書き込まれている情報を安定的に読み取ることが可能な目安となる時間である安定読取時間を表示し、前記センサ上に前記カードが載置された後は、前記カードが前記センサ上に載置されて前記センサが圧力を感知した時点からの経過時間である設置経過時間を、前記安定読取時間とともに表示することを特徴とする読取装置。
【請求項２】
前記センサは、
前記圧力を感知した場合に、該圧力を感知したことを示す検出信号を出力し、
前記読取部は、
前記センサが前記検出信号を出力した場合に、前記カードに書き込まれている情報を読み取ることを特徴とする請求項１に記載の読取装置。
【請求項３】
前記センサが、タッチパネルであることを特徴とする請求項１または２に記載の読取装置。
【請求項４】
前記センサは、前記圧力が加わることにより、互いが接触して導通する1対のスイッチ端子を有し、
前記読取部は、
前記1対のスイッチ端子が導通した場合、前記カードに書き込まれている情報を読み取ることを特徴とする請求項１に記載の読取装置。
【発明の詳細な説明】
【技術分野】
【０００１】
本発明は、読取装置に関する。
【背景技術】
【０００２】
非接触ＩＣ（Integrated Circuit）は携帯電話やクレジットカードなどに内蔵され、電子決済などに広く利用されている。このような非接触ＩＣを利用する際の利便性を向上するための様々な技術が提案されている。
【０００３】
例えば、車両のドアを開錠するためのボタンが押下されたときに、ボタンに設けられた指紋センサにより押下した者の指紋認証を行うとともに、ボタンを押下した者が着用する物品に付与されたＲＦ（Radio Frequency）タグに書き込まれたＲＦＩＤ（Radio Frequency IDentification）を読み取り、読み取った物品のＲＦＩＤと、予め登録した車両の所有者の物品のＲＦＩＤとを比較して、所有者を認証する車両オーナ認証装置が考えられている（例えば、特許文献１参照。）。
【０００４】
特許文献１に開示された技術によれば、非接触ＩＣカードの利用者が、リーダに非接触ＩＣを接近させる距離、非接触ＩＣの登録内容をリーダが読取るまでに要する所要時間などを誤って操作した場合、リーダが非接触ＩＣに登録されている情報の読込に失敗するおそれがあるという問題点がある。
【０００５】
また、非接触方式（非接触ＩＣカードやＲＦＩＤ）により情報を読取るためのアンテナは、読取可能範囲にある複数の非接触ＩＣカードの登録内容を読み取ることが可能である。そのため、特許文献１に開示された技術では、利用者が所望しない非接触ＩＣの登録内容を誤って読込んでしまうおそれがある。このような問題を回避するために、非接触ＩＣ読取装置は、必要な場合のみ読取動作を許可に設定し、それ以外の場合には、読取動作を禁止に設定する運用が一般的に行われている。しかし、このような設定は、例えば、小売店舗ではその店員の操作によって行われている。そのため、非接触ＩＣカードの利用者は、非接触ＩＣカードを使用する旨を店員に通知することで、リーダによる非接触ＩＣカードの読取を許可するよう設定してもらう必要があり、利用者の利便性が大きく損なわれてしまうという問題点がある。
【０００６】
このような問題点を解決するために、様々な技術が考えられている。
【０００７】
例えば、非接触ＩＣカードの登録内容を読み取るカードリーダにおいて、非接触ＩＣカードをリーダに接触させる位置を表示し、接触した非接触ＩＣカードから直接伝達する圧力を検出した場合のみ、当該非接触ＩＣカードの登録内容を読取る技術が考えられている（例えば、特許文献２参照。）。
【特許文献１】特開２００７−１１２３４１号公報
【特許文献２】特開２００４−１３３００９号公報
【発明の開示】
【発明が解決しようとする課題】
【０００８】
特許文献２に開示された技術によれば、非接触ＩＣカードの利用者が、非接触ＩＣの登録内容をリーダが読取るまでに要する所要時間を誤って操作した場合、リーダが非接触ＩＣに登録されている情報の読込に失敗するおそれがあるという問題点がある。
【０００９】
また、特許文献２に開示された技術によれば、非接触ＩＣカードがリーダを直接押下した場合に、センサが押下を検出し、リーダによる読取が開始される。そのため、利用者は、非接触ＩＣカードがセンサを適正に押下するよう、より正確な操作を行わなければならないという問題点がある。
【００１０】
本発明は、上述した課題を解決する読取装置を提供することを目的とする。
【課題を解決するための手段】
【００１１】
上記課題を解決するために、本発明の読取装置は、情報を書込可能なカードに書き込まれている情報を、アンテナを介して、読み取る読取装置であって、外部からの圧力を感知する、かつ、該カードの外形よりも大きなセンサと、前記センサの位置を表示する表示部と、前記センサが外部からの圧力を感知した場合に、前記アンテナを介して、前記カードに書き込まれている情報を読み取る読取部とを有し、前記表示部は、前記センサ上に前記カードが載置される前は、前記読取部が、前記センサ上に載置された前記カードに書き込まれている情報を安定的に読み取ることが可能な目安となる時間である安定読取時間を表示し、前記センサ上に前記カードが載置された後は、前記カードが前記センサ上に載置されて前記センサが圧力を感知した時点からの経過時間である設置経過時間を、前記安定読取時間とともに表示することを特徴とする。
【発明の効果】
【００１２】
本発明によれば、情報を書込可能なカードに書き込まれている情報を、アンテナを介して読取る読取装置において、外部からの圧力を感知し、カードを覆い、かつ、カードの外形よりも大きなセンサを具備し、センサの位置を表示し、センサが外部からの圧力を感知した場合に、アンテナを介して、カードに書き込まれている情報を読み取る構成としたため、非接触ＩＣに登録されている情報の読取を失敗しにくくできる。
【発明を実施するための最良の形態】
【００１３】
（実施形態１）
以下、本発明の実施形態１に従った読取装置を説明する。
【００１４】
以下の説明例は、本実施形態に従った「読取装置」を、非接触ＩＣ読取装置１に適用した例である。
【００１５】
図１に示すように、非接触ＩＣ読取装置１は、例えば、リーダで構成され、情報を書込可能な「カード」である非接触ＩＣカード１００にあらかじめ書き込まれている情報の読取を行う。非接触ＩＣ読取装置１は、非接触ＩＣカード１００へ情報を書込むためのライタを備えるものでもよい。
【００１６】
非接触ＩＣ読取装置１は、非接触ＩＣカード１００から情報を読取る際、非接触ＩＣカード１００と通信を実行し、非接触ＩＣカード１００と各種の情報を送受信する。
【００１７】
また、非接触ＩＣ読取装置１は、非接触ＩＣカード１００に動作電力やクロック信号を供給する。非接触ＩＣ読取装置１は、自ら発信する微弱電波の電磁誘導作用によって非接触ＩＣカード１００が有するアンテナに起電力を誘起させることで、非接触ＩＣカード１００に動作電力を供給する。
【００１８】
さらに、非接触ＩＣ読取装置１は、利用者の操作を促すための各種データの表示などを行うマンマシンインターフェースとしての役割を果たす。
【００１９】
端末２は、非接触ＩＣ読取装置１と接続されており、非接触ＩＣ読取装置１が読み取った非接触ＩＣカード１００に書き込まれている情報を受信し、所定の処理を施す。端末２は、非接触ＩＣ読取装置１から受信した情報を、外部のホストコンピュータなどに出力するように構成してもよい。
【００２０】
情報を書込可能な「カード」である非接触ＩＣカード１００は、非接触ＩＣが内蔵された携帯型電子装置（例えば、携帯電話機）、各種のカード（例えば、クレジットカード）などである。実施形態１では、非接触ＩＣカード１００は、電磁誘導方式の無線（マイクロ波型）ＩＣカードである場合を例に挙げて説明する。
【００２１】
すなわち、非接触ＩＣカード１００は、その内部にアンテナを有し、非接触ＩＣ読取装置１が発信する微弱電波によりデータを送受信する。非接触ＩＣカード１００が有するアンテナは、例えば、平面形状を有するコイルであり、非接触ＩＣカード１００周辺の縁端部に配置してもよい。
【００２２】
また、非接触ＩＣカード１００の動作電力は、非接触ＩＣ読取装置１が発信する微弱電波の電磁誘導作用によってアンテナに誘起される起電力である。なお、非接触ＩＣカード１００は、電池を具備し、その電池から供給される電力により動作する電池式のものでもよい。
【００２３】
つぎに、実施形態１の非接触ＩＣ読取装置１の構成について、詳細に説明する。
【００２４】
図２（ａ）に示すように、非接触ＩＣ読取装置１は、正面から見た場合、感知部１３と、表示部１４とを有している。
【００２５】
感知部１３は、表示部１４に表示される「検出領域Ｒｄ」の表面近傍に外部から加えられた圧力を感知する。
【００２６】
「検出領域Ｒｄ」は、非接触ＩＣカード１００を設置するための領域であるって、感知部１３が具備するセンサが設置されている「センサの位置」である。
【００２７】
なお、本発明の非接触ＩＣ読取装置１では、感知部１３は、表示部１４が表示している検出領域Ｒｄに直接押付けられた非接触ＩＣカード１００の面から伝達する圧力を感知するだけでない。
【００２８】
感知部１３は、非接触ＩＣカード１００が表示部１４が表示している検出領域Ｒｄに直接押付けられていない状態であっても、非接触ＩＣカード１００を把持する利用者の指などによる押圧を感知する。
【００２９】
表示部１４は、例えば、検出領域Ｒｄ（センサの位置）に非接触ＩＣカード１００を設置するよう、利用者に促すメッセージを表示する。
【００３０】
また、図２（ｂ）に示すように、非接触ＩＣ読取装置１の断面を側面から見た場合、非接触ＩＣ読取装置１の内部においては、感知部１３と、表示部１４と、アンテナ１５とは、ほぼ平行に配設されている。
【００３１】
なお、感知部１３とアンテナ１５との間の距離は、アンテナ１５が非接触ＩＣカード１００に書き込まれている情報を安定的に読取り可能な所定間隔（距離）に配設されている。
【００３２】
つぎに、非接触ＩＣ読取装置１の内部構成について説明する。
【００３３】
図３に示すように、非接触ＩＣ読取装置１は、制御部１１と、読取部１２と、感知部１３と、表示部１４と、アンテナ１５とを有する。
【００３４】
制御部１１は、例えば、マイクロプロセッサユニットで構成され、非接触ＩＣ読取装置１全体を制御する。
【００３５】
また、制御部１１は、「検出判別部１１１」と、「読取設定部１１２」と、「計時部１１３」とを有する。
【００３６】
「検出判別部１１１」は、「検出判別処理」を実行し、感知部１３が非接触ＩＣカード１００を検出したか否かを判別する。なお、検出判別部１１１は、後述する検出信号が感知部１３から入力された場合に、表示部１４が表示している検出領域Ｒｄに外部から圧力が加えられたことを感知部１３が感知したと判別する。
【００３７】
読取設定部１１２は、「読取設定処理」を実行し、非接触ＩＣカード１００に書き込まれている情報を読取部１２が読取ることを「許可」または「禁止」に設定する。読取設定部１１２は、例えば、電源（図示せず）から読取部１２に対して供給される電力量を制御することにより、「許可」または「禁止」に設定する。
【００３８】
読取設定部１１２は、感知部１３が外部からの圧力を感知したと検出判別部１１１が判別した場合に、読取部１２による非接触ＩＣカード１００書き込まれている情報の読取を「許可」に設定する。なお、読取設定部１１２は、読取部１２による読取動作を「許可」に一旦設定した後、許可した読取動作が終了したときに、その読取動作を「禁止」に設定する。
【００３９】
また、読取設定部１１２は、感知部１３が非接触ＩＣカード１００を感知していないと検出判別部１１１が判別している間は、読取部１２による非接触ＩＣカード１００に書き込まれている情報の読取を「禁止」に設定する。読取設定部１１２が読取を禁止した場合、読取部１２は、非接触ＩＣカード１００の読取を停止する。
【００４０】
計時部１１３は、例えば、タイマで構成される。計時部１１３は、「計時処理」を実行することにより、ある時刻からの経過時刻を計時する。例えば、計時部１１３は、感知部１３が検出領域Ｒｄに外部からの圧力が加えられたことを感知したことに応答して、感知時点からの経過時間（以下、「設置経過時間Ｔｐ」という）を計時する。
【００４１】
なお、計時部１１３は、本発明の読取装置に必須の構成要素ではないため、非接触ＩＣ読取装置１には計時部１１３を設けない構成としてもよい。
【００４２】
読取部１２は、例えば、検波回路やＡＤ（Analogue to Digital）変換器と、電力増幅回路と変調回路とＤＡ（Digital to Analogue）変換器とから構成される。
【００４３】
読取部１２は、「読取処理」を実行し、非接触ＩＣ読取装置１に接近した非接触ＩＣカード１００に書き込まれている情報を読取る。なお、読取部１２は、読取設定部１１２により非接触ＩＣカード１００の読取が「許可」されている場合に、非接触ＩＣカード１００に書き込まれている情報を読取る。
【００４４】
読取の際、「通信部」である読取部１２は、「通信処理」を実行し、アンテナ１５を介して、非接触ＩＣカード１００と無線通信することにより非接触ＩＣカード１００から情報を受信する。読取部１２が受信した情報を処理する処理方法は、一般的な処理方法でよい。例えば、読取部１２は、受信した非接触ＩＣカード１００に書き込まれている情報（電波信号）を、検波回路を用いて検波および整流する。さらに、読取部１２は、ＡＤ変換器を用いて、整流後の電波信号をディジタル信号に変換し、制御部１１に出力する処理方法でもよい。
【００４５】
なお、読取部１２は、感知部１３が検出領域Ｒｄに加えられた圧力を感知した場合でも、非接触ＩＣカード１００に書き込まれている情報の読取に失敗した場合、その失敗に対応する所定のエラー処理を実行する。
【００４６】
また、読取部１２は、非接触ＩＣカード１００に動作電力を供給する。動作電力の供給方法は、一般的な供給方法でよい。例えば、読取部１２は、ＡＤ変換器によりアナログ信号に変換した情報を変調器を用いて変調し、変調後の変調信号（電波信号）を電力増幅器で増幅した上で、非接触ＩＣカード１００に送信する。これにより、受信側の非接触ＩＣカード１００に動作電力が供給される。
【００４７】
感知部１３は、非接触ＩＣカード１００を検出するために、非接触ＩＣカード１００を設置するべき検出領域Ｒｄに加えられた圧力を感知する「センサ」である。
【００４８】
感知部１３は、各種の検出機構（例えば、タッチパネル、スイッチおよび光学センサなど）で構成される。なお、感知部１３が有する「センサ」（検出機構）は、外部からの圧力を感知し、非接触ＩＣカード１００を覆い、かつ、非接触ＩＣカード１００の外形よりも大きな形状を有するものである。このセンサは、非接触ＩＣカード１００を設置するべき検出領域Ｒｄに外部から加えられた圧力を感知する。
【００４９】
実施形態１では、感知部１３が具備するセンサは、タッチパネルであるものとする。ここで用いるタッチパネルの動作方式は一般的な方式（例えば、抵抗膜方式）でよい。
【００５０】
なお、感知部１３は、「感知処理」を実行し、検出領域Ｒｄに外部から加えられた圧力を感知した場合、その旨を示す「検出信号」を出力する。
【００５１】
なお、感知部１３が有するセンサ（この例では、タッチパネル）が検出領域Ｒｄに外部から加えられた圧力を感知する位置と、アンテナ１５との間の距離は、アンテナ１５が非接触ＩＣカード１００から送信されてくる情報を安定的に受信できる所定間隔（以下、「安定読取間隔」という）に設定される。ここでいう、非接触ＩＣカード１００から送信されてくる情報を安定的に受信することとは、例えば、非接触ＩＣカード１００から送信された電波信号のアンテナ１５における受信電界強度が所定の基準値より大きいことなどを指す。
【００５２】
表示部１４は、例えば、ＬＣＤ（液晶）パネルなどで構成され、「表示処理」を実行し、任意のデータを表示する。また、実施形態１では、感知部１３が具備するセンサはタッチパネルであるため、表示部１４が感知部１３としての役割を果たす。
【００５３】
表示部１４は、例えば、非接触ＩＣカード１００を感知部１３に接触させることを利用者に促すための「データ」である「カード操作用画面１４１」（ガイダンス画面）を表示する。
【００５４】
図４（ａ）に示すように、カード操作用画面１４１には、非接触ＩＣカード１００を感知部１３に接触させることを利用者に促すメッセージが示されている。
【００５５】
また、カード操作用画面１４１には、感知部１３が有する「センサの位置」（すなわち、感知部１３が非接触ＩＣカード１００を感知する領域）である「検出領域Ｒｄ」が示されている。
【００５６】
さらに、本実施形態においては、図４（ａ）に示すカード操作用画面１４１には、読取部１２が検出領域Ｒｄに設置された非接触ＩＣカード１００（図４（ｂ））に書き込まれている情報を、安定的に読取ることが可能な目安となる時間（以下、「安定読取時間Ｔｓ」という）が表示されている。図４（ａ）の例では、安定読取時間Ｔｓは「１５秒」である。
【００５７】
また、本実施形態においては、図４（ｂ）に示すように、非接触ＩＣカード１００が利用者により検出領域Ｒｄに設置された場合、表示部１４は、上述の「安定読取時間Ｔｓ」とともに、計時部１１３が計時中の「設置経過時間Ｔｐ」を表示する。この「設置経過時間Ｔｐ」は、検出領域Ｒｄに外部から圧力が加えられたことを感知部１３が感知した時点からの経過時間である。図４（ｂ）の例では、設置経過時間Ｔｐは「８秒」である。
【００５８】
なお、表示部１４が安定読取時間Ｔｓや設置経過時間Ｔｐを表示する動作は、非接触ＩＣ読取装置１が非接触ＩＣカード１００に書き込まれている情報を読取る際に必須の動作ではないため、これらを表示しない構成にしてもよい。
【００５９】
アンテナ１５は、アンテナコイルで構成され、非接触ＩＣカード１００との間で微弱電波を送受信する。アンテナコイルの形状は任意でよい。
【００６０】
また、アンテナ１５は、感知部１３が非接触ＩＣカード１００を検出する位置から、上述の「安定読取間隔」だけ離間した位置に設けられている。
【００６１】
つぎに、上述した構成を有する非接触ＩＣ読取装置１が、自己に接近した非接触ＩＣカード１００に書き込まれている情報を読取る読取動作について説明する。
【００６２】
なお、以下の説明例では、感知部１３により非接触ＩＣカード１００が検出されていない状態（読取部１２による読取動作の待機状態）にあるものとする。
【００６３】
このとき、図５に示すように、読取設定部１１２は、「読取設定処理（ステップＳ１１）」を実行し、読取部１２の読取動作を「禁止」に設定する。この設定動作は、待機状態中に非接触ＩＣ読取装置１に接近した非接触ＩＣカードに書き込まれている情報を、読取部１２が誤って読取ることを防止するために行われる。
【００６４】
さらに、表示部１４は、「表示処理（ステップＳ１２）」を実行し、図４（ａ）に示したカード操作用画面１４１をＬＣＤパネル上に表示する。
【００６５】
このため、感知部１３の位置（非接触ＩＣカード１００を設置するべき検出領域Ｒｄ）を利用者が視認できる状態にある。
【００６６】
また、カード操作用画面１４１には、検出領域Ｒｄに設置された非接触ＩＣカード１００に書き込まれている情報を読取部１２が安定的に読取可能な「安定読取時間Ｔｓ」が表示される。
【００６７】
読取設定部１１２が読取部１２の読取動作を「禁止」に設定している状態にて、図４（ｂ）に示すように、利用者の操作などにより、カード操作用画面１４１が示す検出領域Ｒｄに対応する感知部１３のタッチパネルを押下する。
【００６８】
このとき、感知部１３は、「感知処理」を実行し、タッチパネルに加えられた押圧に応じた電圧の変化を検出することにより、検出領域Ｒｄに外部から加えられた圧力を感知する。続いて、感知部１３は、外部からの圧力の感知を示す検出信号を制御部１１に出力する。
【００６９】
なお、感知部１３が非接触ＩＣカード１００を感知している間、計時部１１３は、「計時処理」を実行し、感知時点からの経過時間である設置経過時間Ｔｐを計時している。
【００７０】
また、表示部１４は、カード操作用画面１４１内に、計時部１１３が計時中の設置経過時間Ｔｐを表示する。
【００７１】
制御部１１の検出判別部１１１は、「検出判別処理（ステップＳ１３）」を実行し、検出信号が感知部１３から入力されたことにより、感知部１３が非接触ＩＣカード１００を検出したと判別する。
【００７２】
この場合、読取設定部１１２は、「読取設定処理（ステップＳ１４）」を実行し、読取部１２が、アンテナ１５を介した非接触ＩＣカード１００との通信により、非接触ＩＣカード１００に書き込まれている情報を読取ることを「許可」するよう、設定する。
【００７３】
読取部１２は、「読取処理（ステップＳ１５）」を実行し、非接触ＩＣカード１００に書き込まれている情報を読取る。その後、読取部１２は、読み取った情報を端末２に送信する。以上で、一連の読取動作が終了する。
（実施形態２）
つぎに、実施形態２の非接触ＩＣ読取装置１について説明する。実施形態２は、感知部１３が有するセンサとして、電気的に導通することによりオン状態となる「スイッチ」を用いる例である。
【００７４】
実施形態２の非接触ＩＣ読取装置１の構成は、図１に示したと基本的に同一である。ただし、実施形態２の非接触ＩＣ読取装置１では、感知部１３が有するセンサは、電気的な導通によりオン状態となる「スイッチ」である。
【００７５】
図６（ａ）に示すように、実施形態２のセンサ（スイッチ）には、スイッチ端子１３３同士を接触させることにより、スイッチを導通させるためのスイッチボタン１３１が設けられている。
【００７６】
このスイッチボタン１３１の上面（表面）には、非接触ＩＣカード１００を設置するための設置台１３２が設けられている。
【００７７】
さらに、この設置台１３２上には、非接触ＩＣカード１００を設置する検出領域Ｒｄ（「センサの位置」）を利用者が視認しやすいよう、センサの位置に対応する検出領域Ｒｄを示す矩形と、非接触ＩＣカード１００の設置を促すメッセージとが印字されている。また、設置台１３２上には、安定読取時間Ｔｓ（この例では、「１５秒」）が印字されている。
【００７８】
そのため、実施形態２においては、スイッチボタン１３１上の設置台１３２が、検出領域Ｒｄを表示するための実施形態１における表示部１４としての役割を果たす。
【００７９】
なお、検出領域Ｒｄや安定読取時間Ｔｓを示す方法は、印字に限らず、例えば、発光素子（例えば、ＬＥＤ（Light Emitting Diode）など）を設置台１３２に埋込んでおき、その発光素子により示してもよい。
【００８０】
このため、実施形態２において利用者が行うべき操作は、図６（ｂ）に示すように、設置を促すメッセージに従って非接触ＩＣカード１００を検出領域Ｒｄの枠内に設置し、設置した状態でスイッチを押下するだけでよい。
【００８１】
つぎに、実施形態２の感知部１３が有するセンサの内部構成について説明する。
【００８２】
図７（ａ）に示すように、実施形態２の検出機構が具備するスイッチボタン１３１には、非接触ＩＣカード１００を設置する検出領域Ｒｄにほぼ対応する相対位置に、アンテナ１５が内蔵されている。
【００８３】
なお、実施形態２においても、検出領域Ｒｄ上に設置された非接触ＩＣカード１００とアンテナ１５との距離が、上述の「安定読取間隔」になるよう設定されている。
【００８４】
なお、非接触ＩＣカード１００を設置した際に非接触ＩＣカード１００の姿勢が安定するよう、非接触ＩＣカード１００とほぼ同一形状の凹部を設置台１３２の表面に形成し、その凹部と接触ＩＣカード１００とが嵌合するようにしてもよい。
【００８５】
図７（ｂ）に示すように、非接触ＩＣカード１００が設置台１３２に設置された状態で、スイッチボタン１３１が押下されると、スイッチ端子１３３同士が導通する。この場合、感知部１３（スイッチ）は、非接触ＩＣカード１００を設置するべき検出領域Ｒｄに外部から加えられた圧力の検出を示す検出信号を、制御部１１に出力する。
【００８６】
これにより、制御部１１の検出判別部１１１は、感知部１３が非接触ＩＣカード１００を検出したと判別し、読取設定部１１２は、読取部１２が、非接触ＩＣカード１００の読取を「許可」するように設定する。
【００８７】
読取部１２は、読取設定部１１２による設定動作に応答して、読取を実行する。なお、読取部１２は、非接触ＩＣカード１００に書き込まれている情報の読取に失敗した場合、所定のエラー処理を実行する。
（実施形態３）
つぎに、実施形態３の非接触ＩＣ読取装置１について説明する。実施形態３は、感知部１３が有するセンサとして、光量の変化に応じて非接触ＩＣカード１００を検出する「光センサ」を用いる例である。
【００８８】
実施形態３における、非接触ＩＣカード１００の検出用のセンサが有する構成は、図６（ａ）、（ｂ）および図７（ａ）、（ｂ）に示した実施形態２のセンサと基本的に同一である。
【００８９】
ただし、実施形態３では、電気的に導通するスイッチ端子１３３に代えて、光センサ１３４が設けられている。この光センサ１３４は、例えば、光量に応じた電気信号を出力する光検出面を有し、出力した電気信号のレベルに基づいて遮光されたか否かを検出する。
【００９０】
図８（ａ）の例では、スイッチボタン１３１が押下されていないため、光センサ１３４の光検出面が覆われていない状態にある。この場合、読取設定部１１２は、読取部１２による非接触ＩＣカード１００の読取を「禁止」に設定する。
【００９１】
図８（ｂ）の例では、スイッチボタン１３１が押下された場合、光センサが有する光検出面が覆われて遮光されることにより、スイッチが押下されたことを検出する。この場合、読取設定部１１２は、読取部１２による非接触ＩＣカード１００の読取を「許可」に設定し、読取部１２が読取を実行する。
【００９２】
以上説明したように、本発明の非接触ＩＣ読取装置１によれば、感知部１３は、センサ（例えば、タッチパネル、スイッチ、光センサなど）を用いて、表示部１４により表示される非接触ＩＣカード１００を設置するべき検出領域Ｒｄに外部から加えられた圧力を検出する。この検出領域Ｒｄは、アンテナ１５が非接触ＩＣカード１００から送信されてきた情報を安定的に受信できる位置に設けられている。読取部１２は、感知部１３による検出領域Ｒｄに加えられた圧力の検出に応答して、非接触ＩＣカード１００に書き込まれている情報を読取る。
【００９３】
これにより、非接触ＩＣカード１００とアンテナ１５との距離が、アンテナ１５が非接触ＩＣカード１００を安定的に読取可能な「安定読取間隔」に保たれつつ、非接触ＩＣカード１００に書き込まれている情報を安定的に読取ることが可能になる。すなわち、非接触ＩＣ読取装置１が非接触ＩＣカード１００に書き込まれている情報の読取に失敗する確率を低減できる。
【００９４】
また、意図しない他の非接触ＩＣカードを誤って読取ることを抑制することが可能になる。さらに、非接触ＩＣカード１００を読取る際に、利用者が１回の操作（ワンアクション）を行うだけで済むため、利便性を向上できる。
【００９５】
例えば、実施形態２または3であれば、非接触ＩＣカード１００を読取る場合、利用者は、スイッチボタン１３１の設置台１３２に非接触ＩＣカード１００を設置し、そのスイッチボタン１３１を物理的に押し込むだけでよい。このため、利用者が、より直感的に操作することが可能になる。
【００９６】
また、本発明の読取装置は、センサが外部からの圧力を感知した場合に、カードに書き込まれている情報の読取を許可するよう設定する読取設定部、を有し、読取部は、読取設定部が情報の読取を許可した場合に、アンテナを介して、カードに書き込まれている情報を読み取るようにしてもよい。
【００９７】
また、本発明の読取装置のセンサは、圧力を感知した場合に、圧力を感知したことを示す検出信号を出力し、読取設定部は、センサが検出信号を出力した場合に、カードに書き込まれている情報の読取を許可するよう設定してもよい。
【００９８】
また、本発明の読取装置では、センサが、タッチパネルであってもよい。
【００９９】
また、本発明の読取装置のセンサは、圧力が加わることにより、互いが接触して導通する1対のスイッチ端子を有し、読取設定部は、1対のスイッチ端子が導通した場合、カードに書き込まれている情報の読取を許可するように設定してもよい。
【図面の簡単な説明】
【０１００】
【図１】本発明の実施形態に従った非接触ＩＣ読取装置と、非接触ＩＣ読取装置の読取対象である非接触ＩＣカードと、非接触ＩＣ読取装置に接続された端末とを示す図である。
【図２】（ａ）図１に示した非接触ＩＣ読取装置を正面から見たときの外観を示す図である。（ｂ）は、非接触ＩＣ読取装置を側面から見たときの断面を示す図である。
【図３】図１に示した非接触ＩＣ読取装置の内部構成を示す図である。
【図４】（ａ）は、カード操作用画面の画面構成の一例を示す図である。（ｂ）は、カード操作用画面が示す検出領域上に、非接触ＩＣカードが設置された形態を示す図である。
【図５】非接触ＩＣ読取装置による読取動作を示すフローチャートである。
【図６】（ａ）実施形態２のスイッチが押下されていない状態にて、スイッチを上方から見た外観を示す図である。（ｂ）実施形態２のスイッチが押下された状態にて、スイッチを上方から見た外観を示す図である。
【図７】（ａ）実施形態２の検出機構であるスイッチが押下されていない状態の内部構成を示す図である。（ｂ）実施形態２の検出機構であるスイッチが押下された状態の内部構成を示す図である。
【図８】（ａ）実施形態３の検出機構である光センサが遮光されていない状態の内部構成を示す図である。（ｂ）実施形態３の検出機構である光センサが遮光された状態の内部構成を示す図である。
【符号の説明】
【０１０１】
１  非接触ＩＣ読取装置
２  端末
１００  非接触ＩＣカード
１１  制御部
１２  読取部
１３  感知部
１４  表示部
１５  アンテナ
１１１  検出判別部
１１２  読取設定部
１１３  計時部
１３１  スイッチボタン
１３２  設置台
１３３  スイッチ端子
１３４  光センサ
１４１  カード操作用画面
【図１】
0005077676.tif 000002
【図２】
0005077676.tif 000003
【図３】
0005077676.tif 000004
【図４】
0005077676.tif 000005
【図５】
0005077676.tif 000006
【図６】
0005077676.tif 000007
【図７】
0005077676.tif 000008
【図８】
0005077676.tif 000009